(57)【特許請求の範囲】
【請求項１】
加熱手段と、
前記加熱手段の上方に設けられ被加熱物が載置されるトッププレートと、
前記加熱手段を制御する制御部と、
前記トッププレートに設けられ静電容量の変化を検出する検知電極を有する操作部と、
前記トッププレートに設けられた表示部と、
前記表示部の下方に設けられ光を出射する発光部と、
前記トッププレートの下面における前記操作部及び前記表示部を含む領域に設けられ、光を透過し、かつ、金属光沢を有する絶縁性の光透過膜と、
前記光透過膜の外面における前記表示部を除く領域に設けられた遮光膜と、
前記発光部からの光を所定領域のみ前記表示部へ透過させる部分透過部と
を備え、
前記検知電極と前記トッププレートとの間に前記光透過膜及び前記遮光膜が設けられ、前記検知電極の後端より後方に前記発光部及び前記部分透過部が設けられていることを特徴とする加熱調理器。
【請求項２】
前記部分透過部が、前記トッププレートと前記発光部との間に配設されていることを特徴とする請求項１に記載の加熱調理器。
【請求項３】
前記光透過膜がシリコン膜であることを特徴とする請求項１又は２に記載の加熱調理器。
【請求項４】
前記発光部が赤色の発光素子を備えることを特徴とする請求項３に記載の加熱調理器。
【請求項５】
前記トッププレートの下方に配設され赤外線を発光する赤外線発光部と、前記トッププレートにおける前記赤外線発光部の上方位置に設けられた赤外線透過部とを備え、
前記遮光膜が前記赤外線透過部を避けて前記トッププレートの下面に形成されていることを特徴とする請求項１〜４のいずれか１項に記載の加熱調理器。
【発明の詳細な説明】
【技術分野】
【０００１】
本発明は、トッププレート上にタッチ入力部を備えた加熱調理器に関する。
【背景技術】
【０００２】
一般的に、この種加熱調理器では、箱状の筐体内に加熱手段として例えば誘導加熱コイルや、電気コイルなどのラジエントヒータを設け、対向する上面側に配置されたトッププレート上の鍋などの被加熱調理容器を加熱する構成としている。
【０００３】
トッププレートとしては、美観性や清掃性が優れていることから、ガラス、セラミックス材料等が用いられる。これらのガラス等を用いたトッププレートでは、チタン（Ｔｉ）膜などの金属膜を形成することで、内部の調理器や温度センサーなどを視覚的に隠しつつ、金属光沢などによる美観を付与する場合がある。
【先行技術文献】
【特許文献】
【０００４】
【特許文献１】特開２００８−１１１６２６号公報
【発明の概要】
【発明が解決しようとする課題】
【０００５】
しかしながら、上記のようにチタン膜などの金属膜は導電性が高いため、トッププレートにタッチセンサを形成する場合、該タッチセンサに対応する領域に金属膜に代えて絶縁膜を設ける必要がある。そのため、トッププレート上の絶縁膜を形成した領域は他の部分と色が異なり、視覚的な一体感が無く、美観が損なわれるという問題がある。
【０００６】
しかも、タッチセンサの近傍に導電性の高い金属膜が配設されていると、誘導加熱コイルやラジエントヒータの電位変動に起因するノイズが金属膜を介してタッチセンサに伝わり、センサが誤作動するおそれがあり問題である。
【０００７】
さらに、上記のようなチタン膜によってトッププレートに金属光沢を付与する場合、トッププレートの下方に配置されたＬＥＤ等の発光部からの光が透過しにくくなるため、発光部から光を照射して、加熱強度といった加熱手段の制御状況などをトッププレートに表示させる表示部が暗くなり視認性に劣る問題がある。
【０００８】
本発明は、上記問題を考慮してなされたものであり、トッププレートにタッチセンサを形成しても、視覚的な一体感を損なうことなくトッププレートに金属光沢を付与することができるとともに、加熱手段の電位変動に起因して該センサが誤作動することなく、しかも、トッププレートの下方に配置された発光部からの光を良好に透過させ視認性に優れた表示部を設けることができる加熱調理器を提供することを目的とする。
【課題を解決するための手段】
【０００９】
本発明に係る加熱調理器は、加熱手段と、前記加熱手段の上方に設けられ被加熱物が載置されるトッププレートと、前記加熱手段を制御する制御部と、前記トッププレートに設けられ静電容量の変化を検出する検知電極を有する操作部と、前記トッププレートに設けられた表示部と、前記表示部の下方に設けられ光を出射する発光部と、前記トッププレートの下面における前記操作部及び前記表示部を含む領域に設けられ、光を透過し、かつ、金属光沢を有する絶縁性の光透過膜と、前記光透過膜の外面における前記表示部を除く領域に設けられた遮光膜と、前記発光部からの光を所定領域のみ前記表示部へ透過させる部分透過部とを備え、前記検知電極と前記トッププレートとの間に前記光透過膜及び前記遮光膜が設けられ、前記検知電極の後端より後方に前記発光部及び前記部分透過部が設けられていることを特徴とする。
【発明の効果】
【００１０】
本発明では、上記構成により、トッププレートにタッチセンサを形成しても、視覚的な一体感を損なうことなくトッププレートに金属光沢を付与することができるとともに、加熱手段の電位変動に起因して該センサが誤作動することなく、しかも、トッププレートの下方に配置された発光部から出射された光を良好に透過させ視認性に優れた表示部を設けることができる。
【図面の簡単な説明】
【００１１】
【図１】本発明の一実施形態に係る加熱調理器をキッチンに組み込んだ状態を示す斜視図である。
【図２】本発明の一実施形態に係る加熱調理器を示す平面図である。
【図３】図１のＡ−Ａ断面図である。
【図４】図１のＢ−Ｂ断面図である。
【図５】本発明の変更例に係る加熱調理器の断面図である。
【発明を実施するための形態】
【００１２】
以下、本発明の一実施形態について、図面を参照して説明する。
【００１３】
本実施形態の加熱調理器１０は、例えば、図１に示すようなシステムキッチンに組み込まれるものであって、システムキッチンの天板１１に対して上方から嵌め込まれる上ユニット１０ａと下部に位置し天板１１に対して前方から嵌め込まれる下ユニット１０ｂとを備える。
【００１４】
上ユニット１０ａは、図２及び図３に示すように、３個の加熱手段を収容する薄形矩形箱状の筐体１２と、この筐体１２の上面開口部を塞ぐように設けられたトッププレート１４とを備える。
【００１５】
筐体１２の内部には、手前側に加熱手段としての２つの誘導加熱コイル１６，１８が配設され、中央奥側に別の加熱手段としてラジエントヒータからなるヒータ２０が配設されている。
【００１６】
また、誘導加熱コイル１６，１８の下方の空間には、誘導加熱コイル１６，１８に高周波電流を供給するインバータやマイクロコンピュータを主とした制御回路基板等の駆動手段（不図示）が内蔵されており、該駆動手段によって誘導加熱コイル１６，１８やヒータ２０が駆動制御される。
【００１７】
トッププレート１４の上面には、一例として、円形枠線で示す３箇所に鍋などの被加熱物を加熱するのに好適な載置箇所を示す加熱部２２，２４，２６が印刷されている。また、加熱部２２，２４の前部には、操作部３０及び表示部３２が前後２列に設けられ、さらに、表示部３２の一方側（本実施形態では右側）に赤外線を外部へ出射する赤外線ポート３３が設けられている。
【００１８】
操作部３０は、印刷層等により形成されたタッチ入力式（静電容量式）のタッチ操作部であり、本実施形態では、例えば、誘導加熱コイル１６，１８及びヒータ２０の電源オン・オフを切り換え設定する電源用操作部３０ａや、誘導加熱コイル１６，１８及びヒータ２０の加熱強度を設定する加熱強度設定用操作部３０ｂや、通常加熱や天ぷらなどの所定調理に適した加熱モードを設定する加熱モード設定用操作部３０ｃ等が、各加熱部２２，２４，２６に対応してそれぞれ設けられている。
【００１９】
ユーザによる操作部３０のタッチ入力は、トッププレート１４の下面に配設された回路基板３４によって検出される。
【００２０】
回路基板３４は、電極基板３６と制御回路基板３８とを備える。電極基板３６はトッププレート１４の前端部の下面に枠状の下部枠４０により保持された形態に取着されている。下部枠４０はトッププレート１４に例えば接着などにより固着されている。この電極基板３６の上面には操作部３０に対向するように検知電極４２が導体パターンにより形成され、検知電極４２はスルーホールおよび接続導体パターンを介して基板対基板型のコネクタ４４に導通されている。このコネクタ４４には、ほぼ垂直状態に取り付けられた制御回路基板３８が接続されている。
【００２１】
制御回路基板３８は、接触検知回路を備え、タッチ入力部３０にユーザの手指が触れることにより人体と検知電極４２とが静電結合し、これにより生じる静電容量変化を検知してユーザによるタッチ入力を検知する。
【００２２】
表示部３２は、上記した操作部３０の操作結果や誘導加熱コイル１６，１８及びヒータ２０の出力状態を表示するものであり、操作部３０と同様、各加熱部２２，２４，２６に対応して複数設けられている。表示部３２は、発光部４６から出射された光がトッププレート１４の下方より照射されることで、文字や図形などの所定の標章が表示される。
【００２３】
発光部４６は、表示部３２を照明する発光素子５２と、発光素子５２を収納するホルダ５０とを備えてなり、下ユニット１０ｂの前端部近傍に配設された表示基板４８に複数個配設されている。発光素子５２は、例えば、発光波長が６５０〜７００ｎｍの赤色の発光ダイオードが表示基板４８に実装されている。ホルダ５０は、上方に開口する筒状をなしており、内部に収納された発光素子５２を保護するとともに、発光素子５２から出射された光を上方へ導光する。
【００２４】
ホルダ５０の上面開口には、発光素子５２から出射された光を所定領域のみ上方へ透過させる部分透過部５４が配設されている。部分透過部５４は、透明な板体に文字や図形などの所定の標章が抜き文字で印刷されており、発光素子５２から出射された光が部分透過部５４に設けられた抜き文字部分５４ａのみを透過して、トッププレート１４における発光部４６の上方位置に設けられた表示部３２に、抜き文字で印刷された所定の標章を表示させる。
【００２５】
赤外線ポート３３は、赤外線発光部６０からの赤外線をトッププレート１４の上方へ出射し、例えば、加熱調理器１０の上方に設けられたレンジフードに配設された赤外線受光素子との間で赤外線通信を行う。
【００２６】
赤外線発光部６０は、図４に示すように、トッププレート１４における赤外線ポート３３に対応する位置の下方に配設されており、赤外線を発光する赤外線発光素子６２と、赤外線発光素子６２を収納するホルダ６４とを備える。赤外線発光素子６２は、例えば、発光波長が９５０ｎｍの発光ダイオードが、発光素子５２を実装した表示基板４８に実装されている。ホルダ６４は、上方に開口する筒状をなしており、内部に収納された赤外線発光素子６２を保護するとともに、赤外線発光素子６２から出射された光を上方へ導光する。
【００２７】
また、トッププレート１４は、例えば、耐熱強化ガラス（結晶化ガラス）からなる矩形板状に一体形成されており、その下面に光を透過し、かつ、金属光沢を有する絶縁性の光透過膜５６、例えば、シリコン（Ｓｉ）またはゲルマニウム（Ｇｅ）をスパッタ法あるいは真空蒸着法により厚さ１００〜２００ｎｍに成膜された光透過膜５６が形成されている。光透過膜５６は、トッププレート１４のうち少なくとも加熱部２２，２４，２６、操作部３０、表示部３２、及び赤外線ポート３３を含む略全体に形成されている。
【００２８】
光透過膜５６の外面（下面）には、表示部３２及び赤外線ポート３３に対応する部分、すなわち、トッププレート１４において発光部４６及び赤外線発光部６０と対向する箇所を除く光透過膜５６の略全体に遮光膜５８が形成されている。つまり、遮光膜５８は、発光部４６と対向する位置に貫通孔５８ａが設けられ、赤外線発光部６０と対向する位置に赤外線透過部としての貫通孔５８ｂが設けられている。
【００２９】
下ユニット１０ｂは、図１に示すように、キャビネット内の左部に設けられたロースタ７０と、その右部に設けられた操作パネル７２を備えて構成されている。ロースタ７０は図示しないシーズヒータを熱源とする。操作パネル７２には、電源スイッチ７４や、ロースタ７０のシーズヒータをオン・オフしたり出力を調整したりするための操作スイッチ７６が設けられている。
【００３０】
上記のような加熱調理器１０において、電源スイッチ７４をＯＮ操作し、トッププレート１４に設けられた電源用操作部３０ａをタッチ操作することにより、各加熱手段はオン・オフされ、加熱強度設定用操作部３０ｂをタッチ操作することにより各加熱手段の出力が調整される。例えば、誘導加熱コイル１６を用いて調理する場合には、加熱部２２に鍋を置き、加熱部２２に対応する電源用操作部３０ａをタッチ操作する。これにより、誘導加熱コイル１６が通電され、加熱部２２に対応する表示部３２は、誘導加熱コイル１６の出力状態に応じた発光部４６の発光素子５２が点灯する。
【００３１】
発光素子５２が放射する光は、部分透過部５４の抜き文字部分５４ａを透過し、更に光透過膜５６及びトッププレート１４を透過して、部分透過部５４において抜き文字で印刷された標章がトッププレート１４に設けられた表示部３２に表示され、使用者は誘導加熱コイル１６の出力状態を確認できる。
【００３２】
以上のように本実施形態では、トッププレート１４の下面に設けた光透過膜５６が、光を透過し、かつ、金属光沢を有する絶縁性の薄膜であるため、加熱部２２，２４，２６や表示部３２だけでなく、タッチ入力式の操作部３０に対応する領域にも光透過膜５６を設けることができる。そのため、操作部３０にも加熱部２２，２４，２６等と同一の金属光沢を付与することができ、トッププレート１４の略全体にわたる視覚的な一体感を損なうことがない。
【００３３】
また、光透過膜５６の外面に光を遮断する遮光膜５８が設けられているため、トッププレート１４に外観上の金属光沢を付与しつつ、筐体１２内部に収納された加熱手段１６，１８，２０等の内部構造体を視覚的に隠すことができる。
【００３４】
しかも、光透過膜５６が、シリコンまたはゲルマニウムからなり、シリコンやゲルマニウムが、チタンなどの金属に比べて導電性が低い半金属であるため、タッチ入力式の操作部３０に対応する位置に絶縁膜を設ける必要がないとともに、誘導加熱コイル１６，１８やヒータ２０の電位変動に起因するノイズが、タッチ入力式の操作部３０に伝わることがなくなり、操作部３０の誤作動のおそれもない。
【００３５】
また、チタンに比べてシリコンやゲルマニウムは光を透過性しやすいので、トッププレート１４に設けられた表示部３２を明るくすることができ、視認性を向上させることができる。特に、シリコンやゲルマニウムは、波長６５０ｎｍ以上の赤色光及び赤外光の透過率が他の波長帯の光に比べ高い。そのため、表示部３２を照明する発光素子５２として発光波長が６５０〜７００ｎｍの赤色の発光ダイオードを使用することで、効率的に表示部３２の明度を向上させることができ、より一層、表示部３２の視認性を向上させることができるとともに、赤外線ポート３３より赤外線発光部６０からの赤外線を効率的に出射させることができる。
【００３６】
さらに、本実施形態の加熱調理器１０では、透明な板体に所定の標章が抜き文字で印刷された部分透過部５４が、発光素子５２を収納するホルダ５０の上面開口に配設され、トッププレート１４と発光部４６との間に配設されている。そのため、発光素子５２の点灯時には、発光素子５２から出射された光が部分透過部５４に設けられた抜き文字部分５４ａのみを透過して、抜き文字で印刷された所定の標章を表示部３２に表示させることができる。また、発光素子５２の消灯時には、部分透過部５４に光が透過する抜き文字部分５４ａが存在するものの、抜き文字部分５４ａが僅かな領域であるので、表示部３２の下方に配設された発光部４６が外部からほとんど見えることがなく、美観を損なうこともない。つまり、本実施形態のようにチタンなどに比べて光透過性の高いシリコンやゲルマニウム等から光透過膜５６を構成し表示部３２の明度を高めながら、部分透過部５４により発光部４６を視覚的に隠すことができ、表示部３２の視認性とトッププレート１４の美観を高めることができる。
【００３７】
なお、上記した本実施形態では、部分透過部５４をホルダ５０の上面開口に配設したが、本発明はこれに限定されず、例えば、図５に示すように、トッププレート１４側に部分透過部５４を設けてもよい。このような場合、遮光膜５８の形成工程において部分透過部５４の抜き文字５４ａを同時に形成することができ、製造工数及び部品点数を削減することができる。
【符号の説明】
【００３８】
１０…加熱調理器        １４…トッププレート    １６…誘導加熱コイル
１８…誘導加熱コイル    ２０…ヒータ            ３０…操作部
３２…表示部            ３３…赤外線ポート      ３４…回路基板
４６…発光部            ４８…表示基板          ５０…ホルダ
５２…発光素子          ５４…部分透過部        ５６…光透過膜
５８…遮光膜            ５８ａ…貫通孔          ５８ｂ…貫通孔（赤外線透過部）
６０…赤外線発光部      ６２…赤外線発光素子    ６４…ホルダ
【図１】
0005405256.tif 000002
【図２】
0005405256.tif 000003
【図３】
0005405256.tif 000004
【図４】
0005405256.tif 000005
【図５】
0005405256.tif 000006